【手続補正書】
【提出日】平成18年10月30日(2006.10.30)
【手続補正１】
【補正対象書類名】明細書
【補正対象項目名】００５３
【補正方法】変更
【補正の内容】
【００５３】
〔形態１８〕  更に、形態１８の印刷装置制御プログラムは、形態１１乃至１５のいずれか１の印刷装置制御プログラムにおいて、
前記ノズル使用情報設定ステップにおいては、前記第１画像データにおける各画素データに対して、当該各画素データに対応するノズルを使用するか否かを設定した情報からなるノズル設定情報テーブルを生成するようになっており、
前記印刷ステップにおいては、前記印刷用データ及び前記ノズル設定情報テーブルに基づき、前記印刷ヘッドによって前記画像を前記印刷媒体上に印刷することを特徴としている。
このような構成であれば、コンピュータによってプログラムが読み取られ、読み取られたプログラムに従ってコンピュータが処理を実行すると、形態８の印刷装置と同等の作用および効果が得られる。
【手続補正２】
【補正対象書類名】明細書
【補正対象項目名】００６０
【補正方法】変更
【補正の内容】
【００６０】
〔形態２５〕  更に、形態２５の印刷装置制御方法は、形態２０乃至２４のいずれか１の印刷装置制御方法において、
前記ノズル使用情報設定ステップにおいては、前記第１画像データにおける各画素データに対して、当該各画素データに対応するノズルを使用するか否かを設定した情報からなるノズル設定情報テーブルを生成するようになっており、
前記Ｎ値化処理ステップにおいては、前記ノズル設定情報テーブルに基づき前記第２画像データをＮ値化してなる前記第３画像データを生成することを特徴としている。
これによって、形態６の印刷装置と同等の作用効果が得られる。
【手続補正３】
【補正対象書類名】明細書
【補正対象項目名】００６１
【補正方法】変更
【補正の内容】
【００６１】
〔形態２６〕  更に、形態２６の印刷装置制御方法は、形態２０乃至２４のいずれか１の印刷装置制御方法において、
前記ノズル使用情報設定ステップにおいては、前記第１画像データにおける各画素データに対して、当該各画素データに対応するノズルを使用するか否かを設定した情報からなるノズル設定情報テーブルを生成するようになっており、
前記印刷用データ生成ステップにおいては、前記ノズル設定情報テーブルに基づき前記第３画像データを補正してなる前記印刷用データを生成することを特徴としている。
これによって、形態７の印刷装置と同等の作用効果が得られる。
【手続補正４】
【補正対象書類名】明細書
【補正対象項目名】００６２
【補正方法】変更
【補正の内容】
【００６２】
〔形態２７〕  更に、形態２７の印刷装置制御方法は、形態２０乃至２４のいずれか１の印刷装置制御方法において、
前記ノズル使用情報設定ステップにおいては、前記第１画像データにおける各画素データに対して、当該各画素データに対応するノズルを使用するか否かを設定した情報からなるノズル設定情報テーブルを生成するようになっており、
前記印刷ステップにおいては、前記印刷用データ及び前記ノズル設定情報テーブルに基づき、前記印刷ヘッドによって前記画像を前記印刷媒体上に印刷することを特徴としている。
これによって、形態８の印刷装置と同等の作用効果が得られる。
【手続補正５】
【補正対象書類名】明細書
【補正対象項目名】００６３
【補正方法】変更
【補正の内容】
【００６３】
〔形態２８〕  一方、上記第１〜第３の目的を達成するために、形態２８の印刷用データ生成装置は、
印刷に用いる媒体に、サイズの異なる２種類以上のドットを形成可能なノズルを有する印刷ヘッドによって、前記媒体に画像を印刷するようにした印刷装置において使用される印刷用データを生成する印刷用データ生成装置であって、
Ｍ（Ｍ≧３）値の画素値に対応する複数の画素データを有する第１画像データを取得する第１画像データ取得手段と、 前記ノズルの特性を示すノズル情報を記憶するノズル情報記憶手段と、
前記ノズル情報に基づき、前記第１画像データにおける各画素データに対して、当該各画素データに対応したノズルを使用するか否かを設定するノズル使用情報設定手段と、
前記第１画像データにおける、前記ノズル使用情報設定手段によって不使用と設定した画素データの画素値を最低濃度値に変更すると共に、当該変更前の元の画素値を、当該画素値の近傍に位置する未処理画素の画素値に分配してなる第２画像データを生成する第２画像データ生成手段と、 前記第２画像データにおける画素データのＭ（Ｍ≧３）値の画素値を、Ｎ（Ｍ＞Ｎ≧２）値に変換する処理であるＮ値化処理を行って、第３画像データを生成するＮ値化処理手段と、
前記第３画像データに対応する前記ノズルのドット形成内容に関する情報を規定した印刷用データを生成する印刷用データ生成手段と、を備えることを特徴としている。
【手続補正６】
【補正対象書類名】明細書
【補正対象項目名】００６５
【補正方法】変更
【補正の内容】
【００６５】
〔形態２９〕  更に、形態２９の印刷用データ生成装置は、形態２８の印刷用データ生成装置において、
前記ノズル情報は、前記ノズルのインクの吐出不良の有無を示す情報を含み、
前記ノズル使用情報設定手段は、前記インクの吐出不良を有するノズルに対応した画素データの全てに対して、当該ノズルを不使用と設定することを特徴としている。
これによって、形態２の印刷装置と同様の作用及び効果が得られる。
【手続補正７】
【補正対象書類名】明細書
【補正対象項目名】００６６
【補正方法】変更
【補正の内容】
【００６６】
〔形態３０〕  更に、形態３０の印刷用データ生成装置は、形態２８又は２９の印刷用データ生成装置において、
前記ノズル情報は、前記ノズルの前記ドットの実際の形成位置と当該ドットの理想の形成位置との位置ずれ量の情報を含むことを特徴としている。
これによって、形態３の印刷装置と同様の作用及び効果が得られる。
【手続補正８】
【補正対象書類名】明細書
【補正対象項目名】００６７
【補正方法】変更
【補正の内容】
【００６７】
〔形態３１〕  更に、形態３１の印刷用データ生成装置は、形態３０の印刷用データ生成装置において、
前記ノズル使用情報設定手段は、前記位置ずれ量が所定量より大きいノズルに対応する画素データの一部に対して当該ノズルを不使用と設定することを特徴としている。
これによって、形態４の印刷装置と同様の作用及び効果が得られる。
【手続補正９】
【補正対象書類名】明細書
【補正対象項目名】００６８
【補正方法】変更
【補正の内容】
【００６８】
〔形態３２〕  更に、形態３２の印刷用データ生成装置は、形態２８乃至３１のいずれか１の印刷用データ生成装置において、
前記第２画像データ生成手段は、前記元の画素値を分配する処理において、前記変更前の元の画素値を、当該画素値の画素画像近傍に位置する画素画像の画素値にランダムな割合で分配することを特徴としている。
これによって、形態５の印刷装置と同様の作用及び効果が得られる。
【手続補正１０】
【補正対象書類名】明細書
【補正対象項目名】００６９
【補正方法】変更
【補正の内容】
【００６９】
〔形態３３〕  更に、形態３３の印刷用データ生成装置は、形態２８乃至３２のいずれか１の印刷用データ生成装置において、
前記ノズル使用情報設定手段は、前記第１画像データにおける各画素データに対して、当該各画素データに対応するノズルを使用するか否かを設定した情報からなるノズル設定情報テーブルを生成するようになっており、
前記Ｎ値化処理手段は、前記ノズル設定情報テーブルに基づき前記第２画像データをＮ値化してなる前記第３画像データを生成することを特徴としている。
これによって、形態６の印刷装置と同様の作用及び効果が得られる。
【手続補正１１】
【補正対象書類名】明細書
【補正対象項目名】００７０
【補正方法】変更
【補正の内容】
【００７０】
〔形態３４〕  更に、形態３４の印刷用データ生成装置は、形態２８乃至３２のいずれか１の印刷用データ生成装置において、
前記ノズル使用情報設定手段は、前記第１画像データにおける各画素データに対して、当該各画素データに対応するノズルを使用するか否かを設定した情報からなるノズル設定情報テーブルを生成するようになっており、
前記印刷用データ生成手段は、前記ノズル設定情報テーブルに基づき前記第２画像データを補正してなる前記印刷用データを生成することを特徴としている。
これによって、形態７の印刷装置と同様の作用及び効果が得られる。
【手続補正１２】
【補正対象書類名】明細書
【補正対象項目名】００７１
【補正方法】変更
【補正の内容】
【００７１】
〔形態３５〕  更に、形態３５の印刷用データ生成装置は、形態２８乃至３２のいずれか１の印刷用データ生成装置において、
前記ノズル使用情報設定手段は、前記第１画像データにおける各画素データに対して、当該各画素データに対応するノズルを使用するか否かを設定した情報からなるノズル設定情報テーブルを生成するようになっており、
前記印刷手段は、前記印刷用データ及び前記ノズル設定情報テーブルに基づき、前記印刷ヘッドによって前記画像を前記印刷媒体上に印刷することを特徴としている。
これによって、形態８の印刷装置と同様の作用及び効果が得られる。
【手続補正１３】
【補正対象書類名】明細書
【補正対象項目名】００７２
【補正方法】変更
【補正の内容】
【００７２】
〔形態３６〕  一方、上記第１〜第３の目的を達成するために、形態３６の印刷用データ生成プログラムは、
印刷に用いる媒体に、サイズの異なる２種類以上のドットを形成可能なノズルを有する印刷ヘッドによって、前記媒体に画像を印刷するようにした印刷装置において使用される印刷用データを生成するのに使用する印刷用データ生成プログラムであって、
Ｍ（Ｍ≧３）値の画素値に対応する複数の画素データを有する第１画像データを取得する第１画像データ取得ステップと、
前記ノズルの特性を示すノズル情報に基づき、前記第１画像データにおける各画素データに対して、当該各画素データに対応したノズルを使用するか否かを設定するノズル使用情報設定ステップと、
前記第１画像データにおける、前記ノズル使用情報設定ステップにおいて不使用と設定した画素データの画素値を最低濃度値に変更すると共に、当該変更前の元の画素値を、当該画素値の近傍に位置する未処理画素の画素値に分配してなる第２画像データを生成する第２画像データ生成ステップと、
前記第２画像データにおける画素データのＭ（Ｍ≧３）値の画素値を、Ｎ（Ｍ＞Ｎ≧２）値に変換する処理であるＮ値化処理を行って、第３画像データを生成するＮ値化処理ステップと、
前記第３画像データに対応する前記ノズルのドット形成内容に関する情報を規定した印刷用データを生成する印刷用データ生成ステップとからなる処理をコンピュータに実行させるのに使用するプログラムを含むことを特徴としている。
このような構成であれば、コンピュータによってプログラムが読み取られ、読み取られたプログラムに従ってコンピュータが処理を実行すると、形態２８の印刷用データ生成装置と同等の作用および効果が得られる。
【手続補正１４】
【補正対象書類名】明細書
【補正対象項目名】００７３
【補正方法】変更
【補正の内容】
【００７３】
〔形態３７〕  更に、形態３７の印刷用データ生成プログラムは、形態３６の印刷用データ生成プログラムにおいて、
前記ノズル情報は、前記ノズルのインクの吐出不良の有無を示す情報を含み、
前記ノズル使用情報設定ステップにおいては、前記インクの吐出不良を有するノズルに対応した画素データの全てに対して、当該ノズルを不使用と設定することを特徴としている。
このような構成であれば、コンピュータによってプログラムが読み取られ、読み取られたプログラムに従ってコンピュータが処理を実行すると、形態２９の印刷用データ生成装置と同等の作用および効果が得られる。
【手続補正１５】
【補正対象書類名】明細書
【補正対象項目名】００７４
【補正方法】変更
【補正の内容】
【００７４】
〔形態３８〕  更に、形態３８の印刷用データ生成プログラムは、形態３６又は３７の印刷用データ生成プログラムにおいて、
前記ノズル情報は、前記ノズルの前記ドットの実際の形成位置と当該ドットの理想の形成位置との位置ずれ量の情報を含むことを特徴としている。
このような構成であれば、コンピュータによってプログラムが読み取られ、読み取られたプログラムに従ってコンピュータが処理を実行すると、形態３０の印刷用データ生成装置と同等の作用および効果が得られる。
【手続補正１６】
【補正対象書類名】明細書
【補正対象項目名】００７５
【補正方法】変更
【補正の内容】
【００７５】
〔形態３９〕  更に、形態３９の印刷用データ生成プログラムは、形態３８の印刷用データ生成プログラムにおいて、
前記ノズル使用情報設定ステップにおいては、前記位置ずれ量が所定量より大きいノズルに対応する画素データの一部に対して当該ノズルを不使用と設定することを特徴としている。
このような構成であれば、コンピュータによってプログラムが読み取られ、読み取られたプログラムに従ってコンピュータが処理を実行すると、形態３１の印刷用データ生成装置と同等の作用および効果が得られる。
【手続補正１７】
【補正対象書類名】明細書
【補正対象項目名】００７６
【補正方法】変更
【補正の内容】
【００７６】
〔形態４０〕  更に、形態４０の印刷用データ生成プログラムは、形態３６乃至３９のいずれか１の印刷用データ生成プログラムにおいて、
前記第２画像データ生成ステップにおいては、前記元の画素値を分配する処理において、前記変更前の元の画素値を、当該画素値の画素画像近傍に位置する画素画像の画素値にランダムな割合で分配することを特徴としている。
このような構成であれば、コンピュータによってプログラムが読み取られ、読み取られたプログラムに従ってコンピュータが処理を実行すると、形態３２の印刷用データ生成装置と同等の作用および効果が得られる。
【手続補正１８】
【補正対象書類名】明細書
【補正対象項目名】００７７
【補正方法】変更
【補正の内容】
【００７７】
〔形態４１〕  更に、形態４１の印刷用データ生成プログラムは、形態３６乃至４０のいずれか１の印刷用データ生成プログラムにおいて、
前記ノズル使用情報設定ステップにおいては、前記第１画像データにおける各画素データに対して、当該各画素データに対応するノズルを使用するか否かを設定した情報からなるノズル設定情報テーブルを生成するようになっており、
前記Ｎ値化処理ステップにおいては、前記ノズル設定情報テーブルに基づき前記第２画像データをＮ値化してなる前記第３画像データを生成することを特徴としている。
このような構成であれば、コンピュータによってプログラムが読み取られ、読み取られたプログラムに従ってコンピュータが処理を実行すると、形態３３の印刷用データ生成装置と同等の作用および効果が得られる。
【手続補正１９】
【補正対象書類名】明細書
【補正対象項目名】００７８
【補正方法】変更
【補正の内容】
【００７８】
〔形態４２〕  更に、形態４２の印刷用データ生成プログラムは、形態３６乃至４０のいずれか１の印刷用データ生成プログラムにおいて、
前記ノズル使用情報設定ステップにおいては、前記第１画像データにおける各画素データに対して、当該各画素データに対応するノズルを使用するか否かを設定した情報からなるノズル設定情報テーブルを生成するようになっており、
前記印刷用データ生成ステップにおいては、前記ノズル設定情報テーブルに基づき前記第３画像データを補正してなる前記印刷用データを生成することを特徴としている。
このような構成であれば、コンピュータによってプログラムが読み取られ、読み取られたプログラムに従ってコンピュータが処理を実行すると、形態３４の印刷用データ生成装置と同等の作用および効果が得られる。
【手続補正２０】
【補正対象書類名】明細書
【補正対象項目名】００７９
【補正方法】変更
【補正の内容】
【００７９】
〔形態４３〕  一方、上記第１〜第３の目的を達成するために、形態４３の印刷用データ生成プログラムを記録したコンピュータ読み取り可能な記録媒体は、
形態３６乃至形態４２のいずれか１の印刷用データ生成プログラムが記録されていることを特徴としている。
これによって、形態３６乃至形態４２のいずれか１の印刷用データ生成プログラムと同様の作用及び効果が得られると共に、ＣＤ−ＲＯＭやＤＶＤ−ＲＯＭ、ＦＤ（フレキシブルディスク）などの記録媒体を介して前記印刷プログラムを容易に授受することが可能となる。
【手続補正２１】
【補正対象書類名】明細書
【補正対象項目名】００８０
【補正方法】変更
【補正の内容】
【００８０】
〔形態４４〕  一方、上記第１〜第３の目的を達成するために、形態４４の印刷用データ生成方法は、
印刷に用いる媒体に、サイズの異なる２種類以上のドットを形成可能なノズルを有する印刷ヘッドによって、前記媒体に画像を印刷するようにした印刷装置において使用される印刷用データを生成する印刷用データ生成方法であって、
Ｍ（Ｍ≧３）値の画素値に対応する複数の画素データを有する第１画像データを取得する第１画像データ取得ステップと、
前記ノズルの特性を示すノズル情報に基づき、前記第１画像データにおける各画素データに対して、当該各画素データに対応したノズルを使用するか否かを設定するノズル使用情報設定ステップと、
前記第１画像データにおける、前記ノズル使用情報設定ステップにおいて不使用と設定した画素データの画素値を最低濃度値に変更すると共に、当該変更前の元の画素値を、当該画素値の近傍に位置する未処理画素の画素値に分配してなる第２画像データを生成する第２画像データ生成ステップと、
前記第２画像データにおける画素データのＭ（Ｍ≧３）値の画素値を、Ｎ（Ｍ＞Ｎ≧２）値に変換する処理であるＮ値化処理を行って、第３画像データを生成するＮ値化処理ステップと、
前記第３画像データに対応する前記ノズルのドット形成内容に関する情報を規定した印刷用データを生成する印刷用データ生成ステップと、を含むことを特徴としている。
これによって、形態２８の印刷用データ生成装置と同等の作用及び効果が得られる。
【手続補正２２】
【補正対象書類名】明細書
【補正対象項目名】００８１
【補正方法】変更
【補正の内容】
【００８１】
〔形態４５〕  更に、形態４５の印刷用データ生成方法は、形態４４の印刷用データ生成方法において、
前記ノズル情報は、前記ノズルのインクの吐出不良の有無を示す情報を含み、
前記ノズル使用情報設定ステップにおいては、前記インクの吐出不良を有するノズルに対応した画素データの全てに対して、当該ノズルを不使用と設定することを特徴としている。
これによって、形態２９の印刷用データ生成装置と同等の作用及び効果が得られる。
【手続補正２３】
【補正対象書類名】明細書
【補正対象項目名】００８２
【補正方法】変更
【補正の内容】
【００８２】
〔形態４６〕  更に、形態４６の印刷用データ生成方法は、形態４４又は４５の印刷用データ生成方法において、
前記ノズル情報は、前記ノズルの前記ドットの実際の形成位置と当該ドットの理想の形成位置との位置ずれ量の情報を含むことを特徴としている。
これによって、形態３０の印刷用データ生成装置と同等の作用及び効果が得られる。
【手続補正２４】
【補正対象書類名】明細書
【補正対象項目名】００８３
【補正方法】変更
【補正の内容】
【００８３】
〔形態４７〕  更に、形態４７の印刷用データ生成方法は、形態４６の印刷用データ生成方法において、
前記ノズル使用情報設定ステップにおいては、前記位置ずれ量が所定量より大きいノズルに対応する画素データの一部に対して当該ノズルを不使用と設定することを特徴としている。
これによって、形態３１の印刷用データ生成装置と同等の作用及び効果が得られる。
【手続補正２５】
【補正対象書類名】明細書
【補正対象項目名】００８４
【補正方法】変更
【補正の内容】
【００８４】
〔形態４８〕  更に、形態４８の印刷用データ生成方法は、形態４４乃至４７のいずれか１の印刷用データ生成方法において、
前記第２画像データ生成ステップにおいては、前記元の画素値を分配する処理において、前記変更前の元の画素値を、当該画素値の画素画像近傍に位置する画素画像の画素値にランダムな割合で分配することを特徴としている。
これによって、形態３２の印刷用データ生成装置と同等の作用及び効果が得られる。
【手続補正２６】
【補正対象書類名】明細書
【補正対象項目名】００８５
【補正方法】変更
【補正の内容】
【００８５】
〔形態４９〕  更に、形態４９の印刷用データ生成方法は、形態４４乃至４８のいずれか１の印刷用データ生成方法において、
前記ノズル使用情報設定ステップにおいては、前記第１画像データにおける各画素データに対して、当該各画素データに対応するノズルを使用するか否かを設定した情報からなるノズル設定情報テーブルを生成するようになっており、
前記Ｎ値化処理ステップにおいては、前記ノズル設定情報テーブルに基づき前記第２画像データをＮ値化してなる前記第３画像データを生成することを特徴としている。
これによって、形態３３の印刷用データ生成装置と同等の作用及び効果が得られる。
【手続補正２７】
【補正対象書類名】明細書
【補正対象項目名】００８６
【補正方法】変更
【補正の内容】
【００８６】
〔形態５０〕  更に、形態５０の印刷用データ生成方法は、形態４４乃至４８のいずれか１の印刷用データ生成方法において、
前記ノズル使用情報設定ステップにおいては、前記第１画像データにおける各画素データに対して、当該各画素データに対応するノズルを使用するか否かを設定した情報からなるノズル設定情報テーブルを生成するようになっており、
前記印刷用データ生成ステップにおいては、前記ノズル設定情報テーブルに基づき前記第２画像データを補正してなる前記印刷用データを生成することを特徴としている。
これによって、形態３４の印刷用データ生成装置と同等の作用及び効果が得られる。
【手続補正２８】
【補正対象書類名】明細書
【補正対象項目名】００８７
【補正方法】変更
【補正の内容】
【００８７】
〔形態５１〕  一方、上記第１〜第３の目的を達成するために、形態５１のノズル設定情報テーブル生成方法は、
サイズの異なる２種類以上のドットを印刷に用いる媒体に形成可能なノズルを有する印刷ヘッドを有し、前記ノズルを不使用にする設定のされた画素データの画素値を用いて補正された画像データから生成される印刷用データに基づき、前記媒体に画像を印刷する印刷装置において使用されるノズル設定情報テーブルを生成するノズル設定情報テーブル生成方法であって、
Ｍ（Ｍ≧３）値の画素値に対応する複数の画素データを有する第１画像データを取得する画像データ取得ステップと、
前記ノズルの特性を示すノズル情報に基づき、前記画像データ取得ステップで取得した画像データの各画素データに対して、当該各画素データに対応したノズルを使用するか否かを設定するノズル使用情報設定ステップと、
前記ノズル使用情報設定ステップの設定情報に基づき、前記画像データの各画素データに対して、当該各画素データに対応したノズルを使用するか否かが設定されたノズル設定情報テーブルを生成するノズル設定情報テーブル生成ステップと、を含むことを特徴としている。
【手続補正２９】
【補正対象書類名】明細書
【補正対象項目名】００８９
【補正方法】変更
【補正の内容】
【００８９】
〔形態５２〕  更に、形態５２のノズル設定情報テーブル生成方法は、形態５１のノズル設定情報テーブル生成方法において、
前記ノズル情報は、前記ノズルのインクの吐出不良の有無を示す情報を含み、 前記ノズル設定情報生成ステップにおいては、前記インクの吐出不良を有するノズルに対応した画素データの全てに対して、当該ノズルを不使用と設定することを特徴としている。
【手続補正３０】
【補正対象書類名】明細書
【補正対象項目名】００９１
【補正方法】変更
【補正の内容】
【００９１】
〔形態５３〕  更に、形態５３のノズル設定情報テーブル生成方法は、形態５１又は５２のノズル設定情報テーブル生成方法において、
前記ノズル情報は、前記ノズルの前記ドットの実際の形成位置と当該ドットの理想の形成位置との位置ずれ量の情報を含むことを特徴としている。
従って、ドット形成位置が理想の形成位置からずれることよって発生する、いわゆる「飛行曲がり現象」の発生要因となるノズルに対応した画素データに対して、当該ノズルを使用するか否かを適切に設定したノズル設定情報テーブルを生成できると共に、ノズル設定情報テーブルにおいて不使用と設定する画素データの数を飛行曲り量の大きさに応じて可変にしたりすることができるので、「飛行曲がり現象」が原因で発生する「バンディング現象」を回避するのに適切なノズル設定情報テーブルを生成できるという効果が得られる。
【手続補正３１】
【補正対象書類名】明細書
【補正対象項目名】０１０６
【補正方法】変更
【補正の内容】
【０１０６】
なお、この印刷装置１００は、前記第１第１画像データ取得部１０、ノズル情報設定部１１、第２画像データ生成部１４、Ｎ値化処理部１５、印刷用データ生成部１６、印刷部１８などにおける上記各機能をソフトウェア上で実現するため、及び上記各機能の実現に必要なハードウェアを制御するソフトウェアを実行するためのコンピュータシステムを備えている。このコンピュータシステムのハードウェア構成は、図２に示すように、各種制御や演算処理を担う中央演算処理装置であるＣＰＵ（Central Processing Unit）６０と 、主記憶装置（Main Storage）を構成するＲＡＭ（Random Access Memory）６２と、読み出し専用の記憶装置であるＲＯＭ（Read Only Memory）６４との間をＰＣＩ（Peripheral Component Interconnect）バスやＩＳＡ（Industrial Standard Architecture）バス等 からなる各種内外バス６８で接続すると共に、このバス６８に入出力インターフェース（Ｉ／Ｆ）６６を介して、ＨＤＤ等の外部記憶装置（Secondary Storage）７０や、印刷部１８やＣＲＴ、ＬＣＤモニター等の出力装置７２、操作パネルやマウス、キーボード、スキャナなどの入力装置７４、および図示しない印刷指示装置などと通信するためのネットワークケーブルＬなどを接続したものである。
【手続補正３２】
【補正対象書類名】明細書
【補正対象項目名】０１１２
【補正方法】変更
【補正の内容】
【０１１２】
ステップＳ１０６では、ノズル情報設定部１１において、第１画像データ取得部１０からＣＭＹＫ画像データを取得すると、ノズル情報設定処理を実行してノズル設定情報テーブルを生成し、当該生成したノズル設定情報テーブルと共にＣＭＹＫ画像データを第２画像データ生成部１４に伝送してステップＳ１０８に移行する。
ステップＳ１０８では、第２画像データ生成部１４において、ノズル情報設定部１１からＣＭＹＫ画像データ及びノズル設定情報テーブルを取得すると、第２画像データ生成処理を実行して第２画像データを生成し、当該生成した第２画像データをＮ値化処理部１５に伝送してステップＳ１１０に移行する。
【手続補正３３】
【補正対象書類名】明細書
【補正対象項目名】０１５４
【補正方法】変更
【補正の内容】
【０１５４】
上記第１の実施の形態において、第１画像データ取得部１０は、形態１又は２８の画像データ取得手段に対応し、ノズル情報記憶部１２は、形態１、１１、２０及び２８のいずれか１のノズル情報記憶手段に対応し、ノズル情報設定部１１及びノズル設定情報記憶部１３は、形態１、２、４、６、２８、２９、３１及び３３のいずれか１のノズル使用情報設定手段に対応し、第２画像データ生成部１４は、形態１、５、２８及び３２のいずれか１の第２画像データ生成手段に対応し、Ｎ値化処理部１５及びＮ値化情報記憶部１６は、形態１、６、２８及び３３のいずれか１のＮ値化処理手段に対応し、印刷用データ生成部１７は、形態１又は２８の印刷用データ生成手段に対応し、印刷部１８は、形態１の印刷手段に対応する。
【手続補正３４】
【補正対象書類名】明細書
【補正対象項目名】０１５５
【補正方法】変更
【補正の内容】
【０１５５】
上記第１の実施の形態において、ステップＳ１０２，Ｓ１０４は、形態１１、２０、３６及び４４のいずれか１の第１画像データ取得ステップに対応し、ステップＳ１０６は、形態１１、１２、１４、１６、２０、２１、２３、２５、３６、３７、３９、４１、４４、４５、４７及び４９のいずれか１のノズル使用情報設定ステップに対応し、ステップＳ１０８は、形態１１、１５、２０、２４、３６、４０、４４及び４８のいずれか１の第２画像データ生成ステップに対応し、ステップＳ１１０は、形態１１、１６、２０、２５、３６、４１、４４及び４９のいずれか１のＮ値化処理ステップに対応し、ステップＳ１１２は、形態１１、１７、２０、２６、３６、４２、４４及び５０のいずれか１の印刷用データ生成ステップに対応し、テップＳ１１６は、形態１１、１８、２０及び２７のいずれか１の印刷ステップに対応する。
【手続補正３５】
【補正対象書類名】明細書
【補正対象項目名】０１６８
【補正方法】変更
【補正の内容】
【０１６８】
上記第２の実施の形態において、第１画像データ取得部１０は、形態１又は２８の画像データ取得手段に対応し、ノズル情報記憶部１２は、形態１、１１、２０及び２８のいずれか１のノズル情報記憶手段に対応し、ノズル情報設定部１１及びノズル設定情報記憶部１３は、形態１、２、４、６、７、８、２８、２９、３１、３３、３４及び３５のいずれか１のノズル使用情報設定手段に対応し、第２画像データ生成部１４は、形態１、５、２８及び３２のいずれか１の第２画像データ生成手段に対応し、Ｎ値化処理部１５及びＮ値化情報記憶部１６は、形態１、６、２８及び３３のいずれか１のＮ値化処理手段に対応し、印刷用データ生成部１７は、形態１、７、２８及び３４のいずれか１の印刷用データ生成手段に対応し、印刷部１８は、形態１、８及び３５のいずれか１の印刷手段に対応する。
【手続補正３６】
【補正対象書類名】明細書
【補正対象項目名】０１６９
【補正方法】変更
【補正の内容】
【０１６９】
上記第２の実施の形態において、ステップＳ１０２，Ｓ１０４は、形態１１、２０、３６及び４４のいずれか１の第１画像データ取得ステップに対応し、ステップＳ１０６は、形態１１、１２、１４、１６、１７、１８、２０、２１、２３、２５、２６、２７、３６、３７、３９、４１、４２、４４、４５、４７、４９、５０及び５１のいずれか１のノズル使用情報設定ステップに対応し、ステップＳ１０８は、形態１１、１５、２０、２４、３６、４０、４４及び４８のいずれか１の第２画像データ生成ステップに対応し、ステップＳ１１０は、形態１１、１６、２０、２５、３６、４１、４４及び４９のいずれか１のＮ値化処理ステップに対応し、ステップＳ１１２は、形態１１、１７、２０、２６、３６、４２、４４及び５０のいずれか１の印刷用データ生成ステップに対応し、テップＳ１１６は、形態１１、１８、２０及び２７のいずれか１の印刷ステップに対応する。